(57)【要約】【課題】電子ペーパー等に使用される液晶駆動装置に関し、特に黒浮きを無くし、品質のよい表示を行なう液晶駆動装置を提供するものである。【解決手段】  走査電極と信号電極がマトリクス状に配設され、前記走査電極と信号電極の交差部それぞれに画素が形成され、上記走査電極と平行な方向に、上記画素が連なった描画ラインおよび該描画ラインとは異なる複数の事前駆動ラインを設定し、該描画ラインと該複数の事前駆動ラインとを該走査電極と交差する方向にシフトさせながら、該設定された描画ラインに対応する画像データを上記信号電極から供給する液晶駆動装置であって、上記複数の事前駆動ラインは、離散的に駆動することを特徴とする。【選択図】図１
2011112867.tif 000002
【特許請求の範囲】
【請求項１】
走査電極と信号電極がマトリクス状に配設され、前記走査電極と信号電極の交差部それぞれに画素が形成され、
前記走査電極と平行な方向に、前記画素が連なった描画ラインおよび該描画ラインとは異なる複数の事前駆動ラインを設定し、該描画ラインと該複数の事前駆動ラインとを該走査電極と交差する方向にシフトさせながら、該設定された描画ラインに対応する画像データを前記信号電極から供給する液晶駆動装置であって、
前記複数の事前駆動ラインは、離散的に駆動することを特徴とする液晶駆動装置。
【請求項２】
前記複数の事前駆動ラインには、前記信号電極から高電圧を印加されない休止ラインが含まれることを特徴とする請求項１記載の液晶駆動装置。
【請求項３】
前記複数の事前駆動ラインは一律に、前記駆動と休止とを繰り返すことを特徴とする請求項１記載の液晶駆動装置。
【請求項４】
前記画素が前記描画ラインに含まれるまでの事前駆動期間の合計は、該画素が所定の表示状態に遷移するために充分な時間であることを特徴とする請求項１乃至３記載の液晶駆動装置。
【請求項５】
前記画素はコレステリック液晶が封止された液晶表示素子であり、前記事前駆動期間の合計は、さらに、前記液晶がフォーカルコニック状態に遷移するために充分な時間であることを特徴とする請求項４記載の液晶駆動装置。
【請求項６】
走査電極と信号電極がマトリクス状に配設され、前記走査電極と信号電極の交差部それぞれに画素が形成され、
前記走査電極と平行な方向に、前記画素が連なった描画ラインおよび該描画ラインとは異なる複数の事前駆動ラインを設定し、該描画ラインと該複数の事前駆動ラインとを該走査電極と交差する方向にシフトさせながら、該設定された描画ラインに対応する画像データを前記信号電極から供給する液晶駆動装置の駆動方法であって、
前記複数の事前駆動ラインは、離散的に駆動することを特徴とする液晶駆動装置の駆動方法。
【請求項７】
走査電極と信号電極がマトリクス状に配設され、前記走査電極と信号電極の交差部それぞれに画素が形成され、
前記走査電極と平行な方向に、前記画素が連なった描画ラインおよび該描画ラインとは異なる複数の事前駆動ラインを設定し、該描画ラインと該複数の事前駆動ラインとを該走査電極と交差する方向にシフトさせながら、該設定された描画ラインに対応する画像データを前記信号電極から供給する液晶駆動部を複数有する液晶表示パネルであって、
前記複数の事前駆動ラインの画素は該画素を駆動する前、前記複数の事前駆動ラインの画素として離散的に駆動することを特徴とする液晶表示パネル。
【発明の詳細な説明】
【技術分野】
【０００１】
本発明は液晶駆動装置に関し、特に電子ペーパー等に使用される液晶駆動装置に関する。
【背景技術】
【０００２】
近年、電源を切っても表示状態が維持でき、情報の書替えが可能な表示デバイスとして、各企業や大学において電子ペーパの開発が進められている。このような電子ペーパの有力な表示方法の一つにコレステリック相が形成される液晶組成物を用いた表示素子がある。コレステリック液晶は半永久的な表示保持性能を有し、鮮やかなカラー表示、高コントラスト比、及び高解像度等の優れた特徴を有している。
【０００３】
また、コレステリック液晶を用いた表示素子は、印加する電場強度の調整により特定の波長の光を反射するプレーナ状態、光を透過するフォーカルコニック状態、及びそれらの中間状態を呈することができる。
【０００４】
尚、コレステリック液晶の駆動原理は以下のようである。強い電界を付与すると、液晶分子のらせん構造が完全に解る。つまり、全ての液晶分子が電界の向きに従って配列したホメオトロピック状態となる。一方、ホメオトロピック状態から急激に電界をゼロにすると、液晶分子のらせん構造のらせん軸は電極に垂直になる。つまり、らせんピッチに応じた光を選択的に反射するプレーナ状態となる。また、液晶分子のらせん構造が解けない程度の弱い電界の形成後の電界除去、或いは強い電界をかけ緩やかに電界を除去した場合には、液晶分子のらせん構造のらせん軸は電極に平行になる。そして、液晶は、入射光を透過するフォーカルコニック状態となる。また、中間的な強さの電界を与え、急激に電界を除去すると、プレーナ状態とフォーカルコニック状態が混在する。よって、液晶は、中間調の表示が可能となる。この現象を利用して情報の表示を行う。
【０００５】
図１２（ａ）〜（ｃ）は、従来の液晶駆動装置の駆動例を説明する図である。表示素子３０にはコモンドライバ３１とセグメントドライバ３２が接続される。コモンドライバ３１には選択ラインデータが供給される。セグメントドライバ３２には画像データが１ライン毎に供給される。セグメントドライバ３２が画像データに対応してオン/オフ電圧を表示素子３０に出力する。また、コモンドライバ３１が選択するラインの画素に電圧を印加する。以上の処理によって、表示素子３０は画像を表示する。尚、選択ラインとはコモンドライバ３１によって選択された走査電極上の画素群であり、コモンドライバ３１から表示素子３０に配設された走査電極に平行である。
【０００６】
例えば、同図（ａ）に示すように、コモンドライバ３１が表示素子３０の１ライン目を選択すると、セグメントドライバ３２から１ライン目の画像データが表示素子３０に出力される。そして、表示素子３０の１ライン目は画像データに対応した表示を行う。
【０００７】
同様に、表示素子３０の２ライン目についても、同図（ｂ）に示すように、コモンドライバ３１が表示素子３０の２ライン目を選択すると、セグメントドライバ３２から２ライン目の画像データが表示素子３０に出力される。そして、表示素子３０の２ライン目は画像データに対応した表示を行なう。さらに、表示素子３０の３ライン目についても、図１２（ｃ）に示すように、図１２（a）、図１２（ｂ）と同様である。
【０００８】
しかし、上述のようなマトリクス駆動では１ラインごとに表示を行うため、例えば大画面の表示素子では選択ライン数が多くなり、表示処理に長時間を要する。
そこで、書換え期間よりも先にリセット期間を設け、例えばリセット期間として数本〜数十本のラインをまとめて帯状に電圧印加を行う表示素子の駆動方法が提案されている（特許文献１）。
【先行技術文献】
【特許文献】
【０００９】
【特許文献１】特開２０００−３３３３８号公報
【発明の概要】
【発明が解決しようとする課題】
【００１０】
しかしながら、特許文献１の表示素子の駆動方法では、本来ならば白表示になる部分が十分な白表示にならない、又は黒表示が不充分な現象（以下、黒浮きとして示す）が生じることがある。
すなわち、上記表示素子の駆動方法では、数本〜数十本のラインをまとめて帯状に電圧印加を行うため、白ドットのみが連続した後、黒ドットの画素が出現する場合がある。白ドットのみが連続した場合、書換え期間までは該画素における液晶状態は、ホメオトロピック状態が維持される。よって、黒への書換えのときに、黒ドットの描画電圧（＝フォーカルコニック状態への遷移電圧）を印加しても、表示は中途半端な黒表示となる。つまり黒浮きが発生する。
【００１１】
一方、黒ドットがある程度続き、次も黒ドットの描画電圧となった場合、充分な飽和度のフォーカルコニック状態となり、表示は高い濃度の黒表示となる。したがって、黒浮きは白表示が連続した直後の黒表示に現れる。
【００１２】
例えば、図１３に示す例は黒浮きの例を示す図である。スキャン方向に連続する画素において、先にスキャンされたラインに含まれる画素は連続して白表示を行ったとする。白表示から黒表示に切り替わる画素から一定区間の画素は、本来の表示すべき黒を再現できない。つまり、図１３に示したように、一定区間（領域）の画素は、十分な黒が表示されない黒浮き状態となる。
【課題を解決するための手段】
【００１３】
上記課題は、走査電極と信号電極がマトリクス状に配設され、上記走査電極と信号電極の交差部それぞれに画素が形成され、上記走査電極と平行な方向に、上記画素が連なった描画ラインおよび該描画ラインとは異なる複数の事前駆動ラインを設定し、該描画ラインと該複数の事前駆動ラインとを該走査電極と交差する方向にシフトさせながら、該設定された描画ラインに対応する画像データを前記信号電極から供給する液晶駆動装置であって、上記複数の事前駆動ラインは、離散的に駆動し、黒浮きの発生を防止する。
【発明の効果】
【００１４】
上記課題は本発明によれば、表示素子に黒浮きを生じさせることがなく、品質のよい表示を行なう液晶駆動装置を提供することができる。
【図面の簡単な説明】
【００１５】
【図１】実施形態の液晶駆動装置の回路構成を説明する図である。
【図２】コモンドライバとセグメントドライバの具体的な回路構成を示す図である。
【図３】(ａ)、（ｂ）は、コレステリック液晶の応答特性を印加電圧に対する反射率の関係として示す図である。
【図４】実施形態１の駆動処理を説明する図である。
【図５】実施形態１の事前駆動ラインの電圧変化を示す図である。
【図６】事前駆動時の液晶状態を示す図である。
【図７】実施形態による離散的な事前駆動の駆動結果を示す図である。
【図８】(ａ)、（ｂ）は実施形態２の駆動処理を説明する図である。
【図９】トランジェットプレーナ状態を説明する図である。
【図１０】電圧の印加時間に対する明るさの特性を示す図である。
【図１１】ＲＧＢの積層構造を有する液晶表示パネルの概念図である。
【図１２】（ａ）〜（ｃ）は従来の液晶駆動装置の駆動例を説明する図である。
【図１３】黒浮きの例を示す図である。
【発明を実施するための形態】
【００１６】
以下、本発明の実施の形態を図面に基づいて説明する。
（実施形態1）
図１は、実施形態１の液晶駆動装置の回路構成を説明する図である。
【００１７】
同図において、本例の液晶駆動装置１は表示素子２、コモンドライバ３とセグメントドライバ４、ドライバ制御回路５、電源部６、及びクロック生成部７を有する。また、コモンドライバ３から表示素子２に対して多数の走査電極１７が配設され、セグメントドライバ４から表示素子２に対して多数の信号電極１８が配設されている。
【００１８】
上記走査電極１７と信号電極１８はマトリクス状に配設され、走査電極１７と信号電極１８の交差部には、それぞれに画素が形成されている。走査電極１７と信号電極１８は、表示素子２をダイナミック駆動する。
ドライバ制御回路５は、コモンドライバ３とセグメントドライバ４に各種制御信号を供給する。電源部６は、コモンドライバ３とセグメントドライバ４に電源供給を行う。
【００１９】
尚、電源部６は電源８、昇圧部９、及び多電圧生成部１０を有する。また、電源８に供給される３〜５Ｖの電圧は、昇圧部９において、例えば３６Ｖ〜４０Ｖに昇圧される。昇圧部９は、例えばＤＣ−ＤＣコンバータ等の昇圧レギュレータを有する。多電圧生成部１０は昇圧部９によって昇圧された電圧に基づいて後述する電圧を生成する。そして、多電圧生成部１０は、上記コモンドライバ３及びセグメントドライバ４に供給する。
【００２０】
また、クロック生成部７は電源８から電源供給を受ける。クロック生成部７は基準クロックを発振すると共に、基準クロックを分周し、ドライバ制御回路５に供給する。
ドライバ制御回路５は、コモンドライバ３やセグメントドライバ４に供給するデータや制御信号を生成する。例えば、同図に示す走査ラインデータ、データ取込みクロック、フレーム開始信号、パルス極性制御信号、データラッチ・スキャンシフト信号、及びドライバ出力オフ信号を生成する。尚、画像データは、例えば不図示のホスト機器からドライバ制御回路５に供給され、後述するタイミングでセグメントドライバ４に出力される。
【００２１】
尚、走査ラインとはコモンドライバ３によって選択された走査電極１７上で、ライン状の画素群であり、また書込みラインとは上記走査ラインの中で画像データを実際に書き込むラインをいう。したがって、走査ライン及び書込みラインは上記走査電極に平行である。
【００２２】
上記フレーム開始信号はコモンドライバ３に出力される。例えば、ドライバ制御回路５は、１０２４×７６８画素で構成される表示素子２に対する表示処理の開始指示を行う。また、走査ラインデータは書き込みラインの選択データであり、コモンドライバ３に出力される。
【００２３】
データ取込みクロックはセグメントドライバ４に出力され、この信号に同期してドライバ制御回路５から画像データをセグメントドライバ４に供給する。この画像データは、セグメントドライバ４にシリアルに入力し、１ライン分の画像データが入力すると、データラッチ・スキャンシフト信号の出力に同期してセグメントドライバ４内の後述するラッチ回路（ラッチレジスタ）にラッチされる。
【００２４】
また、パルス極性制御信号はコモンドライバ３及びセグメントドライバ４から表示素子２に供給される電圧の極性切替えを制御する。また、ドライバ出力オフ信号は、表示素子２への画像データの書き込み処理が完了した後、コモンドライバ３及びセグメントドライバ４への電源供給を停止させる信号である。
【００２５】
図２は、コモンドライバ３とセグメントドライバ４の具体的な回路構成を示す図である。コモンドライバ３はシフトレジスタ３ａ、ラッチレジスタ３ｂ、電圧変換部３ｃ、及び出力ドライバ３ｄを有する。シフトレジスタ３ａには前述のデータラッチ・スキャンシフト信号、フレーム開始信号、及び走査ラインデータが供給される。シフトレジスタ３ａに供給された走査ラインデータは、データラッチ・スキャンシフト信号の出力に同期してラッチレジスタ３ｂにラッチされる。更に、走査ラインデータは電圧変換部３ｃによってロジック電圧がＬＣＤ電圧（ＬＣＤ駆動用の電圧）に変換され、出力ドライバ３ｄから表示素子２に出力される。また、パルス極性制御信号によって出力ドライバ３ｄから出力されるパルス信号の極性制御が行われる。
【００２６】
また、セグメントドライバ４は、データレジスタ４ａ、ラッチレジスタ４ｂ、電圧変換部４ｃ、及び出力ドライバ４ｄで構成される。データレジスタ４ａには前述の画像データがデータ取込みクロック信号に同期して供給される。例えば１ライン分の画像データがデータレジスタ４ａに保持される。データレジスタ４ａに保持された画像データは、データラッチ・スキャンシフト信号に同期してラッチレジスタ４ｂにラッチされる。そして、画像データは、電圧変換部４ｃによってロジック電圧がＬＣＤ電圧（ＬＣＤ駆動用の電圧）に変換され、出力ドライバ４ｄから表示素子２に出力される。また、パルス極性制御信号によって出力ドライバ４ｄから出力されるパルス信号の極性制御が行われる。
【００２７】
図３は、コレステリック液晶の応答特性を印加電圧に対する反射率の関係として示す。例えば、同図（ａ）に示すように、初期状態がプレーナ状態である場合（同図(ａ)に示すＡの特性）、周期が長いパルス（例えば、６０ｍｓ／ライン）電圧をある範囲の電圧まで上げると、コレステリック液晶は、フォーカルコニック状態への駆動帯域となる。更に電圧を上げると、コレステリック液晶は、再度プレーナ状態の駆動帯域となる。また、初期状態がフォーカルコニック状態である場合（同図（ａ）に示すＢの特性）、電圧の上昇につれて、コレステリック液晶は、次第にプレーナ状態の駆動帯域となる。
【００２８】
また、同図（ｂ）に示すように、周期が短いパルス（例えば、１０ｍｓ／ライン）を印加すると、与えるエネルギーが小さくなる。よって、同図（ａ）に印加する電圧値と同じ電圧であっても印加時間が短く、液晶分子の変化量は小さくなる。そして、電圧特性は高電圧側へシフトする。尚、同図（ｂ）においても、Ａの特性は初期状態がプレーナ状態であり、Ｂの特性は初期状態がフォーカルコニック状態である場合である。
【００２９】
次に、前述の黒浮きを好適に改善する処理について以下で説明する。
前述の図１３に示すように、黒浮きは、「白ドットのみが連続した後の黒ドットの画素」に出現する。すなわち、白ドットのみが連続した場合、書換え期間までは該画素における液晶状態は、ホメオトロピック状態が維持される。よって、黒への書換えのときに、黒ドットの描画電圧（＝フォーカルコニック状態への遷移電圧）を印加しても、表示は中途半端な黒表示となる。つまり黒浮きが発生する。
【００３０】
一方、黒ドットがある程度続き、次も黒ドットの描画電圧となった場合、充分な飽和度のフォーカルコニック状態となり、表示は高い濃度の黒表示となる。したがって、黒浮きは白表示が連続した直後の黒表示に現れる。
【００３１】
図４は、本例の処理を説明する図である。
同図において、表示素子２は前述の図１に示す構成であり、１０２４×７６８画素で構成され、フィルム基板（電極）間に液晶混合物が封止されている。また、表示素子２はコモンドライバ３とセグメントドライバ４から出力される印加電圧によって駆動される。
【００３２】
本実施形態では、同図に示すように事前駆動ラインＲ１、事前駆動ラインＲ２、事前駆動ラインＲ３、事前駆動ラインＲ４を連続させない。つまり、事前駆動ラインＲ１と事前駆動ラインＲ２との間に休止ラインｒ１を、事前駆動ラインＲ２と事前駆動ラインＲ３との間に休止ラインｒ２を、事前駆動ラインＲ３と事前駆動ラインＲ４との間に休止ラインｒ３を挟む。信号電極１８は、休止ラインに設定されたラインには高電圧の印加を行わない。
【００３３】
したがって、本実施形態では、複数の事前駆動ラインは走査方向（図中の「Scan」方向）に連続せず、各事前駆動ラインの間に休止ラインを挟んで設定する。そして、画像を描画する描画ラインを走査方向にシフトするとともに、事前駆動ラインおよび休止ラインの同様の方向にシフトする。
【００３４】
よって、あるラインが事前駆動ラインとなり、液晶がホメオトロピック配向になっても、次に当該ラインが休止ラインとなることで、液晶に対する高電圧の印加が途切れる。  したがって、ホメオトロピック状態が時間的に連続することがなくなり、上述のような黒浮きの発生を抑止できる。
【００３５】
図５は、本実施形態の事前駆動ラインＲにおける画素の電圧の時間変化を示す。図５に示すように、図４の事前駆動ラインＲの各ラインＲ１、Ｒ２、Ｒ３、Ｒ４には事前駆動時の高電圧印加状態１１→休止期間（休止ライン）の低電圧印加状態１２→事前駆動時の高電圧印加状態１１→・・が交互に繰り返される。
【００３６】
図６は、事前駆動時の液晶状態を示すである。図６に示すように、事前駆動時の高電圧印加時には、液晶分子のらせん構造が完全に解ける。よって全ての液晶分子が電界の向きに従うホメオトロピック配向状態となる。一方、休止期間では、高電圧の連続印加が途切れ、プレーナ状態となる。つまり、事前駆動時に高電圧の印加によってコレステリック液晶がホメオトロピック状態になっても、休止期間に高電圧の印加が途切れたことよってブレーナ状態となる。
【００３７】
本例では上記図５に示すように、事前駆動ライン間に休止ラインを設定することで、ある画素が、事前駆動ラインに含まれる場合と、休止ラインに含まれる場合とが、短時間に繰り返される。つまり、画素における液晶分子には高電圧の印加と低電圧の印加が繰り返し行われる。したがって、前述の図３で説明したように、短時間の電圧印加では高電圧側に特性がシフトするため高電圧印加の繰り返しによって白表示ではなく黒表示が得られ易くなる。つまり、本実施形態によれば、白表示が連続した後の黒表示であっても黒浮きの発生を防止することができる。
【００３８】
図７は本実施形態の離散的な事前駆動による表示結果を示した図である。例えば図１３のような従来の黒浮きが軽減され、殆ど黒浮きが無い状態の表示となる。
尚、本実施形態による事前駆動は、上記図５に示すように互いの事前駆動ライン間に休止ラインを設けることとしたが、これに限るものではない。例えば２ラインの事前駆動の後１ラインの休止期間を設けてもよく、また３ラインの事前駆動の後１ラインの休止期間を設けてもよい。さらに、休止期間についても１ラインに限るわけではなく２ライン、３ライン等、複数ラインの休止期間を設けてもよい。
【００３９】
（実施形態２）
次に、本発明の実施形態２について説明する。尚、本実施形態においても、液晶駆動装置は前述の図１及び図２で説明した回路構成を有する。そして、表示素子２も前述の１０２４×７６８画素で構成され、フィルム基板（電極）間にコレステリック液晶が封止された構成である。また、表示素子２にはコモンドライバ３とセグメントドライバ４から出力される前述の駆動電圧が印加される。
【００４０】
本実施形態は事前駆動と事前駆動を全く行わない状態を繰り返す構成であり、上記実施形態１と同様、黒浮きの発生を軽減する構成である。以下、具体的に説明する。
図８は本実施形態の駆動処理を説明する模式図である。本実施形態では、同図（ａ）に示すように、描画ラインと事前駆動ラインＲを同時に駆動する。次に事前駆動ラインＲの駆動を全く行なわず、同図（ｂ）に示すように、描画ラインの駆動のみを行なう。この処理を繰り返し行ない、黒浮きの発生を防止する。
【００４１】
すなわち、描画ラインと事前駆動ラインＲを同時に駆動する際（高電圧印加時）、前述の実施形態１と同様、液晶分子のらせん構造が完全に解ける。よって、全ての液晶分子が電界の向きに従うホメオトロピック配向状態となる。一方、次の事前駆動ラインＲの非駆動時には、高電圧の連続印加が途切る。よって、高電圧の連続印加が行われないので、上述のとおり、白表示が連続した後の黒表示であっても黒浮きの発生を軽減することができる。
【００４２】
図９は上記実施形態１及び２について、事前駆動期間の高電圧印加状態から休止期間の低電圧印加状態への変化を示す。液晶駆動装置が、ホメオトロピック状態であるコレステリック液晶に低電圧を印加すると、トランジェントプレーナと呼ばれる状態を経由してプレーナ状態となる。ホメオトロピック状態からトランジェントプレーナ状態への遷移時間は約１ｍｓであり、この後１００〜２００ｍｓの時間をかけてプレーナ状態に変化する。
【００４３】
図１０は上記休止期間の長さと表示素子２の明るさとの関係を示す図であり、休止時間なし、休止時間が０．５ｍｓ、休止時間が１．０ｍｓ、休止時間が２００ｍｓの各場合について、表示素子２の明るさを比較する図である。
【００４４】
同図から分かるように、休止時間が１ｍｓ以上ある場合、休止時間が２００ｍｓの場合とほぼ同じ表示素子２の明るさが得られる。すなわち、本実施形態での休止期間は、トランジェントプレーナ状態となる約１ｍｓ以上あればよく、描画時間が休止期間によって大幅に長くなることはない。
【００４５】
一方、図１１は上記表示素子２をＲＧＢの積層構造とした液晶表示パネルの概念図を示す。青（Blue）、緑（Green）、赤（Red）の各表示素子は、ＩＴＯ（Indium Tin Oxide）電極１３、１４、コレステリック液晶１５を有する。なお、コレステリック液晶１５は、ＩＴＯ電極１３とＩＴＯ電極１４との間に封入される。青（Blue）、緑（Green）、赤（Red）の各表示素子は、所定周期の光を反射することによってカラー表示を行う。尚、同図では青（Blue）の表示素子のＩＴＯ電極を１３Ｂ、１４Ｂで示し、緑（Green）の表示素子のＩＴＯ電極を１３Ｇ、１４Ｇで示し、赤（Red）の表示素子のＩＴＯ電極を１３Ｒ、１４Ｒで示す。また、青（Blue）のコレステリック液晶を１５Ｂで示し、緑（Green）のコレステリック液晶を１５Ｇで示し、赤（Red）のコレステリック液晶を１５Ｒで示す。
【００４６】
ＲＧＢ３層を積層した表示素子は、各層において所定の波長の光が反射される。つまり反射光の合成光よって良好なカラー表が可能となる。例えば、各表示素子を１６階調で制御する場合、４０９６階調のカラー表示を行うことが可能な液晶表示パネルを作成することができる。
【００４７】
以上の実施形態１及び２に関し、更に以下の付記を開示する。
（付記１）
走査電極と信号電極がマトリクス状に配設され、前記走査電極と信号電極の交差部それぞれに画素が形成され、
前記走査電極と平行な方向に、前記画素が連なった描画ラインおよび該描画ラインとは異なる複数の事前駆動ラインを設定し、該描画ラインと該複数の事前駆動ラインとを該走査電極と交差する方向にシフトさせながら、該設定された描画ラインに対応する画像データを前記信号電極から供給する液晶駆動装置であって、
前記複数の事前駆動ラインは、離散的に駆動することを特徴とする液晶駆動装置。
（付記２）
前記複数の事前駆動ラインには、前記信号電極から高電圧を印加されない休止ラインが含まれることを特徴とする付記１記載の液晶駆動装置。
（付記３）
前記複数の事前駆動ラインは一律に、前記駆動と休止とを繰り返すことを特徴とする付記１記載の液晶駆動装置。
（付記４）
前記描画ラインの直前に休止ラインを有することを特徴とする付記１乃至３記載の液晶駆動装置。
（付記５）
前記休止ライン間の事前駆動ラインは、複数のラインで構成されていることを特徴とする付記２記載の液晶駆動装置。
（付記６）
前記画素が前記描画ラインに含まれるまでの事前駆動期間の合計は、該画素が所定の表示状態に遷移するために充分な時間であることを特徴とする付記１乃至５記載の液晶駆動装置。
（付記７）
前記画素はコレステリック液晶が封止された液晶表示素子であり、前記事前駆動期間の合計は、さらに、前記液晶がフォーカルコニック状態に遷移するために充分な時間であることを特徴とする付記６記載の液晶駆動装置。
（付記８）
前記画素はコレステリック液晶が封止された液晶表示素子であり、前記休止ラインの休止期間は、少なくとも前記液晶がホメオトロピック状態からトランジェントプレーナ状態に遷移する時間であることを特徴とする付記１乃至５記載の液晶駆動装置。
（付記９）
走査電極と信号電極がマトリクス状に配設され、前記走査電極と信号電極の交差部それぞれに画素が形成され、
前記走査電極と平行な方向に、前記画素が連なった描画ラインおよび該描画ラインとは異なる複数の事前駆動ラインを設定し、該描画ラインと該複数の事前駆動ラインとを該走査電極と交差する方向にシフトさせながら、該設定された描画ラインに対応する画像データを前記信号電極から供給する液晶駆動装置の駆動方法であって、
前記複数の事前駆動ラインは、離散的に駆動することを特徴とする液晶駆動装置の駆動方法。
（付記１０）
走査電極と信号電極がマトリクス状に配設され、前記走査電極と信号電極の交差部それぞれに画素が形成され、
前記走査電極と平行な方向に、前記画素が連なった描画ラインおよび該描画ラインとは異なる複数の事前駆動ラインを設定し、該描画ラインと該複数の事前駆動ラインとを該走査電極と交差する方向にシフトさせながら、該設定された描画ラインに対応する画像データを前記信号電極から供給する液晶駆動部を複数有する液晶表示パネルであって、
前記複数の事前駆動ラインの画素は該画素を駆動する前、前記複数の事前駆動ラインの画素として離散的に駆動することを特徴とする液晶表示パネル。
【符号の説明】
【００４８】
１      液晶駆動装置
２      表示素子
３      コモンドライバ
３ａ      シフトレジスタ
３ｂ      ラッチレジスタ
３ｃ      電圧変換部
３ｄ      出力ドライバ
４      セグメントドライバ
４ａ      データレジスタ
４ｂ      ラッチレジスタ
４ｃ      電圧変換部
４ｄ      出力ドライバ
５      ドライバ制御回路
６      電源部
７      クロック生成部
８      電源
９      昇圧部
１０      多電圧生成部
１１      高電圧印加状態
１２      低電圧印加状態
１３Ｂ、１３Ｇ、１３Ｒ      ＩＴＯ電極
１４Ｂ、１４Ｇ、１４Ｒ      ＩＴＯ電極
１５Ｂ、１５Ｇ、１５Ｒ      コレステリック液晶
１７      走査電極
１８      信号電極
【図１】
2011112867.tif 000003
【図２】
2011112867.tif 000004
【図３】
2011112867.tif 000005
【図４】
2011112867.tif 000006
【図５】
2011112867.tif 000007
【図８】
2011112867.tif 000008
【図１２】
2011112867.tif 000009
【図６】
2011112867.tif 000010
【図７】
2011112867.tif 000011
【図９】
2011112867.tif 000012
【図１０】
2011112867.tif 000013
【図１１】
2011112867.tif 000014
【図１３】
2011112867.tif 000015